(57)【特許請求の範囲】
【請求項１】
天井板２１の裏面における取付用開口部３０の周縁に設置した取付枠３１と、この取付枠３１にビス止めされて天井板２１の浴室側面に圧接した取付金具３２と、本体２３の取付用フランジ２６より天井板２１を貫通して取付枠２１にネジ込みされる固着具４５と、この本体２３の取付用フランジ２６に螺合してパネル２４を取付けるネジ４７で構成したことを特徴とする浴室換気乾燥機の取付け装置。
【請求項２】
前記取付金具３２を縦片と横片を有する形状とし、その縦片を取付枠３１の内面に、上下方向及び左右方向に移動可能にビス４３で仮取付けし、そのビス４３をネジ込むことで縦片が取付枠３１の内面に圧着するようにした請求項１記載の浴室換気乾燥機の取付け装置。
【請求項３】
浴室２０の天井板２１に本体２３よりも若干大きな取付用開口部３０を形成し、浴室２０内から取付枠３１を取付用開口部３０を通して天井板２１の裏面における取付用開口部３０の周縁に設置し、前記取付用開口部３０内から取付金具３２を取付枠３１の内面に固着して天井板２１の浴室側面に圧接することで取付枠３１を天井板２１に固定し、
この後に本体２３を浴室２０内から取付枠３１に挿入し、その取付用フランジ２６を挿通した固着具４５を天井板２１を貫通して取付枠３１にネジ込んで本体２３を取付け、最後にパネル２４を取付けることを特徴とする浴室換気乾燥機の取付け方法。
【請求項４】
取付枠３１の内面に取付金具３２を上下・左右に移動可能にあらかじめ仮取付け、その状態で取付枠３１を取付用開口部３０に挿入して天井板２１の裏面における取付用開口部３０の周縁に設置することを特徴とする請求項３記載の浴室換気乾燥機の取付け方法。
【発明の詳細な説明】
【０００１】
【発明の属する技術分野】
本発明は、浴室換気乾燥機を浴室の天井板に取付ける装置及び取付ける方法に関する。
【０００２】
【従来の技術】
浴室換気乾燥機は、例えば図１に示すようにヒータ、送風機等を内蔵した本体１と、その本体１の下面に取付けられる化粧用のパネル２で形成してある。この浴室換気乾燥機を浴室の天井板に取付けるには次のようにしている。
【０００３】
図１に示すように、天井板３に取付用開口部４を形成し、天井板３の裏面における取付用開口部４の開口縁に沿って棧木５を配置する。浴室内から本体１を取付用開口部４内に挿入し、図２に示すように、本体１の取付用フランジ６を天井板３の浴室側面に当接し、その取付用フランジ６の穴７から木ネジ８を天井板３を貫通して棧木５にネジ込むことで本体１を天井板３に取付ける。この後にパネル２の穴９からビス１０を本体１の取付用フランジ６のネジ穴１１にネジ込んでパネル２を取付ける。
【０００４】
つまり、天井板３は薄いので木ネジ１０のネジ込み代が小さく、本体１の取付強度が不十分であるから、天井板３の裏面に木製の棧木５を配置し、この棧木５に木ネジ１０をネジ込むことでネジ込み代を大きくして本体１の取付強度を十分としている。
【０００５】
【発明が解決しようとする課題】
前述のようにして本体１を取付ける際に、木ネジ１０が棧木５にネジ込みせずに天井板３から持ち上がってしまうので、この棧木５をあらかじめ天井板３の裏面に接着剤等で固定するか、若しくは他の作業者が棧木５を押えて木ネジ１０を棧木５にネジ込むようにしている。
【０００６】
しかしながら、棧木５をあらかじめ接着剤等で接着する場合には、木工用ボンドなどの木材専用接着剤を用いるが、この接着剤は塗布してから乾燥するまでの時間が長く、接着剤を塗布してから接着剤が乾燥するまでの長い時間経過して後に本体１を取付けるので、作業効率が悪い。
【０００７】
また、接着剤による固定では信頼性が低く、棧木５の固定が不十分である場合には木ネジ１０をネジ込む時に動いてしまうので、再度棧木５を接着剤で固定することになり、作業効率が大変悪くなる。
【０００８】
また、他の作業者が棧木５を押えるやり方では２人が作業者が必要となるし、建家の新設工事の場合には可能であるが、既設の建家にリフォーム等で取付ける場合には天井板の上方に手又は体が入るスペースがないから不可能である。
【０００９】
そこで、本発明は前述の課題を解決できるようにした浴室換気乾燥機の取付け装置及び取付け方法を提供することを目的とする。
【００１０】
【課題を解決するための手段】
第１の発明は、天井板２１の裏面における取付用開口部３０の周縁に設置した取付枠３１と、この取付枠３１にビス止めされて天井板２１の浴室側面に圧接した取付金具３２と、本体２３の取付用フランジ２６より天井板２１を貫通して取付枠２１にネジ込みされる固着具４５と、この本体２３の取付用フランジ２６に螺合してパネル２４を取付けるネジ４７で構成したことを特徴とする浴室換気乾燥機の取付け装置である。
【００１１】
第２の発明は、第１の発明の取付金具３２を縦片と横片を有する形状とし、その縦片を取付枠３１の内面に、上下方向及び左右方向に移動可能にビス４３で仮取付けし、そのビス４３をネジ込むことで縦片が取付枠３１の内面に圧着するようにした浴室換気乾燥機の取付け装置である。
【００１２】
第３の発明は、浴室２０の天井板２１に本体２３よりも若干大きな取付用開口部３０を形成し、浴室２０内から取付枠３１を取付用開口部３０を通して天井板２１の裏面における取付用開口部３０の周縁に設置し、前記取付用開口部３０内から取付金具３２を取付枠３１の内面に固着して天井板２１の浴室側面に圧接することで取付枠３１を天井板２１に固定し、
この後に本体２３を浴室２０内から取付枠３１に挿入し、その取付用フランジ２６を挿通した固着具４５を天井板２１を貫通して取付枠３１にネジ込んで本体２３を取付け、最後にパネル２４を取付けることを特徴とする浴室換気乾燥機の取付け方法である。
【００１３】
第４の発明は、第３の発明における取付枠３１の取付金具３２を上下・左右に移動可能にあらかじめ仮取付け、その状態で取付枠３１を取付用開口部３０に挿入して天井板２１の裏面における取付用開口部３０の周縁に設置することを特徴とする浴室換気乾燥機の取付け方法である。
【００１４】
【作    用】
第１の発明によれば、天井板２１の裏面に取付枠３１を浴室内から一人の作業者で簡単に、しかも強固に取付けできるし、本体２３を浴室内から簡単に取付けできる。
【００１５】
これによって、浴室換気乾燥機を天井板に、１人の作業者で短時間に効率良く、強固に浴室内から取付けできる。
【００１６】
第２の発明によれば、取付枠３１を天井板２１の裏面に設置する以前に取付金具３２をあらかじめ仮取付けできるから、高い所で取付金具３２を取付ける作業が不要となる。これによって浴室換気乾燥機の取付け作業がより一層効率良くできる。
【００１７】
第３の発明によれば、各作業を浴室２０内から１人の作業者によって順次行なうことができるから、浴室換気乾燥機を１人の作業者が短時間に効率良く取付けできる。
【００１８】
第４の発明によれば、取付金具３２をあらかじめ取付けた状態で取付枠３１を天井板３１の裏面に設置するので、高い所での取付金具３２の取付作業がなくなり、より一層効率良く取付けできる。
【００１９】
【発明の実施の形態】
図３に示すように、浴室２０の天井板２１に浴室換気乾燥機２２が取付けてある。この浴室換気乾燥機２２はヒータ、送風機等を内蔵した箱状の本体２３と、この本体２３の下面に取付けた化粧用のパネル２４で形成してある。２５は排気ダクトである。
【００２０】
図４に示すように、本体２３の下部には取付用フランジ２６が設けてあり、この取付用フランジ２６には孔２７と打ち出し突片２８が形成してある。その打ち出し突片２８に孔２９が形成してある。
【００２１】
天井板２１には取付用開口部３０が形成される。この取付用開口部３０は本体２３の大きさよりも若干大きい。天井板２１の裏面における取付用開口部３０の周縁に取付枠３１を取付金具３２で取付ける。
【００２２】
前記取付枠３１は図５に示すように、横片３３と縦片３４でＬ字状断面の金属製の枠材３５を方形枠組みしてある。各枠材３５の横片３３に透孔３６がそれぞれ形成してあり、相対向した枠材３５の縦片３４における一方のコーナー寄りにビス孔３７が形成してある。
【００２３】
前記取付金具３２は図５に示すように、一側縦片３８と他側縦片３９で平面形状鉤形となった縦片４０と、一側縦片３８、他側縦片３９に一体的に設けた一対の横片４１で形成してある。一側縦片３８に上下長孔４２が形成してあり、この上下長孔４２からビス４３が前記ビス孔３７にネジ合される。
【００２４】
次に浴室換気乾燥機の取付け順序を説明する。
▲１▼天井板２１に取付用開口部３０を本体２３の大きさに対応して正確に形成する。この作業は浴室２０内から行う。
【００２５】
▲２▼取付枠３１を浴室２０内から取付用開口部３０を挿通して天井板２１の裏面における取付用開口部３０の周縁に設置する。
【００２６】
▲３▼取付金具３２の上下長孔４２からビス４３をビス孔３７にネジ合して取付金具３２を仮取付けし、取付金具３２を上に移動して一対の横片４１を天井板２１の浴室側面における取付用開口部３０のコーナー部を境した両側部分に押しつける。この状態でビス４３を強くネジ合して取付金具３２の一側縦片３８を取付枠３１の縦片３４に固定する。
【００２７】
これによって、図６に示すように取付金具３２の一側縦片３８が隣接する一方の枠材３５の縦片３４に圧着し、他側縦片３９が隣接する他方の枠材３５の縦片３４に圧着する。また、取付金具３２の一対の横片４１が天井板２１の浴室側面における取付用開口部３０のコーナー部を境とした両側部圧着する。
【００２８】
したがって、取付枠３１が天井板２１の取付用開口部３０に沿った裏面に強固に固定される。
【００２９】
▲４▼本体２３を浴室内から取付枠３１内に挿入し、取付用フランジ２６を図６に示すように絶縁パッキン４４を介して天井板２１の浴室側面に押しつける。
【００３０】
▲５▼この状態でタッピングネジ、ボルト等の固着具４５を透孔２７、天井板２１より取付枠３１の透孔３６にネジ合して本体２３を取付ける。
【００３１】
▲６▼ネジ４７をパネル２４の透孔４８から取付用フランジ２６の孔２９にネジ込んでパネル２４を取付ける。
【００３２】
次に本発明の第２の実施の形態を説明する。
図７に示すように、取付金具３２の一側縦片３８に上下長孔５０と左右長孔５１を連続して鉤形状として形成する。
【００３３】
このようにすることで、取付枠３１の縦片３４に取付金具３２をビス４３で仮取付けした状態で、その取付金具３２を取付枠３１に対して上下方向、左右方向に移動できる。これによって、取付枠３１に取付金具３２をあらかじめ仮取付けできるから、天井板２１の裏面に設置した取付枠３１に取付金具３２を仮取付けする作業が不要となり、本体２３の取付け作業がより一層簡単となる。
【００３４】
具体的には、浴室内において図８（ａ）に示すように取付枠３１の縦片３４に取付金具３２をビス４３で仮取付けし、左右長孔５１の端部がビス４３に当るようにして取付金具３２の横片４１が取付枠３１の縦片３４の内面よりも内方に位置させる。この状態で取付枠３１を取付用開口部３０に挿入して天井板２１の裏面に設置する。
【００３５】
図８（ａ）に示す状態から取付金具３２を矢印ａ方向に移動して図８（ｂ）に示すように横片４１を天井板２１とオーバーラップさせる。図８（ｂ）の状態から取付金具３２を矢印ｂ方向に移動して図８（ｃ）に示すように横片４１を天井板２１の浴室側面に接し、ビス４３を強くネジ込んで取付金具３２を取付枠３１に固定する。
【００３６】
【発明の効果】
第１の発明によれば、天井板２１の裏面に取付枠３１を浴室内から一人の作業者で簡単に、しかも強固に取付けできるし、本体２３を浴室内から簡単に取付けできる。
【００３７】
これによって、浴室換気乾燥機を天井板に、１人の作業者で短時間に効率良く、強固に浴室内から取付けできる。
【００３８】
第２の発明によれば、取付枠３１を天井板２１の裏面に設置する以前に取付金具３２をあらかじめ仮取付けできるから、高い所で取付金具３２を取付ける作業が不要となる。これによって浴室換気乾燥機の取付け作業がより一層効率良くできる。
【００３９】
第３の発明によれば、各作業を浴室２０内から１人の作業者によって順次行なうことができるから、浴室換気乾燥機を１人の作業者が短時間に効率良く取付けできる。
【００４０】
第４の発明によれば、取付金具３２をあらかじめ取付けた状態で取付枠３１を天井板３１の裏面に設置するので、高い所での取付金具３２の取付作業がなくなり、より一層効率良く取付けできる。
【図面の簡単な説明】
【図１】従来の取付け前の状態を示す分解斜視図である。
【図２】取付け状態の一部断面図である。
【図３】本発明の実施の形態を示す浴室部分の断面図である。
【図４】各部材の取付け前の状態の分解斜視図である。
【図５】取付枠と取付金具の斜視図である。
【図６】取付け状態の一部断面図である。
【図７】取付金具の他の例を示す斜視図である。
【図８】取付金具の取付け順次の説明図である。
【符号の説明】
１…本体
２…パネル
３…天井板
５…棧木
６…取付用フランジ
８…木ネジ
２０…浴室
２１…天井板
２３…本体
２４…パネル
２６…取付用フランジ
３０…取付用開口部
３１…取付枠
３２…取付金具
３３…横片
３４…縦片
３５…枠材
４０…縦片
４１…横片
４３…ビス
４５…固着具
４７…ボルト
５０…上下長孔
５１…左右長孔
【図１】
0003780433.tif 000002
【図２】
0003780433.tif 000003
【図３】
0003780433.tif 000004
【図４】
0003780433.tif 000005
【図５】
0003780433.tif 000006
【図６】
0003780433.tif 000007
【図７】
0003780433.tif 000008
【図８】
0003780433.tif 000009